(57)【要約】 【課題】インダクタンス調整が容易な電力増幅器の出力フィルタに用いるインダクタを提供する。【解決手段】フィルタ部Ｆを、保持板４の上に所定の断面寸法と長さを有する導体１ｈと導体１ｖとを直列接続になる様に複数組合せて、各導体と保持板４とを絶縁するポスト３の上に取付け、導体組合せ数を増減し、導体路の長さでインダクタンスが調整可能になるインダクタ１を形成する。【選択図】  図２
2014233051.tif 000002
【特許請求の範囲】
【請求項１】
ビス取付穴が一定の繰返しの間隔で升目状に平面の上下左右方向に設けられ、金属導体がポストを介して前記ビス穴にビス止めされる保持板と、
前記間隔の整数倍の位置にビス穴が設けられた複数の金属導体と、
前記金属導体と前記保持板との間を電気絶縁して前記金属導体を前記保持板にビス止めするためのポストとを備え、
前記金属板を前記保持板の上に直列接続して取付けられてインダクタを構成し、高周波電力増幅器の出力に接続されることを特徴とする高周波電力増幅器用インダクタ。
【請求項２】
それぞれの前記金属導体は、それぞれの有するインダクタンスが予め求められ、その直列接続数を変えることにより前記構成されるインダクタのインダクタンスが調整可能であることを特徴とする請求項１記載の高周波電力増幅器用インダクタ。
【請求項３】
前記金属導体は、前記保持板に「コ」の字状に折り返して直列接続され、前記ビス止めされることを特徴とする請求項１記載の高周波電力増幅器用インダクタ。
【請求項４】
前記金属導体は、前記保持板に「の」の字の渦巻状に直列接続され、前記ビス止めされることを特徴とする請求項１記載の高周波電力増幅器用インダクタ。
【請求項５】
前記金属導体は、長手方向の中心にビスが貫通するスリット設けられていることを特徴とする請求項１記載の高周波電力増幅器用インダクタ。
【発明の詳細な説明】
【技術分野】
【０００１】
本発明の実施形態は、大出力ＲＦ（高周波）電力増幅器に用いるインダクタに関する。
【背景技術】
【０００２】
現在の中波送信機を初めとする放送用送信機は、デジタル処理された変調方式を採用して固体化され、高効率化している。
【０００３】
図６は、デジタル処理送信機の構成を説明する機能ブロック図である。  
図６においてデジタル処理送信機は、中波用の送信機の構成例で、デジタル処理で振幅変調を行なう変調処理部Ｍ、変調信号を所定の放送ＲＦ（高周波）信号にして出力するエキサイタＥ、エキサイタ出力を電力増幅する電力増幅器Ｐ、電力増幅器の出力を合成する合成器Ｓと、フィルタ部Ｆとを備えている。
【０００４】
このうちフィルタ部Ｆは、合成器Ｓより出力された矩形波に近い信号から不要な高周波成分を取り除き、所望の電波を抽出する部分である。フィルタ部ＦにはインダクタとしてコイルＷが用いられるが終段の電力増幅器Ｐの出力に挿入されるため、放熱や所望のインダクタンスを得るために大型の円筒形になる。
【０００５】
図７は、従来の放送用送信機のフィルタ部Ｆの装着状況を説明する取付概念図である。  図７において、フィルタ部は、放熱や、保守・調整を考慮して送信機ラック８の上段に配置される。フィルタのカットオフ周波数は、コイルＷの導線路長、即ちタップ位置を変えることによってインダクタンスを調整する。
【０００６】
所望のインダクタンスを得るためのコイルのタップ取出し位置は、最終的には調整員がカット  アンド  トライして設定される。しかし、コイルが筐体内に設置されているため、作業性が悪く、また所定のインダクタンスを得る最適ポイントを探し出し難い問題があった。
【発明の概要】
【発明が解決しようとする課題】
【０００７】
従来の中波放送用送信機を代表として、終段の電力増幅器出力に設けられるフィルタ用のコイルのインダクタンス調整は構造上作業性が悪く、また所要のインダクタンスを得る最適ポイントを探し出し難い問題があった。
【０００８】
本発明が解決しようとする課題は、インダクタンス調整が容易な高周波電力増幅器の出力フィルタに用いるインダクタを提供することである。
【課題を解決するための手段】
【０００９】
上記目的を達成するために、本実施形態のビス取付穴が一定の繰返しの間隔で升目状に平面の上下左右方向に設けられ、金属導体がポストを介して前記ビス穴にビス止めされる保持板と、前記間隔の整数倍の位置にビス穴が設けられた複数の金属導体と、前記金属導体と前記保持板との間を電気絶縁して前記金属導体を前記保持板にビス止めするためのポストとを備え、前記金属板を前記保持板の上に直列接続して取付けられてインダクタを構成し、高周波電力増幅器の出力に接続されることを特徴とする。
【図面の簡単な説明】
【００１０】
【図１】本実施形態に係わるフィルタ部の構造を説明する構造図である。
【図２】ポストの取付け穴位置を一定のピッチ毎に配置したフィルタ部の外観図である。
【図３】複数種類の長さの導体を用いて保持板上に導体を渦巻状に配置したインダクタの外観図である。
【図４】本実施形態に係わるフィルタ部のラックへの装着を説明する装着図である。
【図５】導体にスリットを設けられたインダクタの外観図である。
【図６】デジタル処理送信機の構成を説明する機能ブロック図である。
【図７】従来の放送用送信機のフィルタ部のラックへの装着を説明する取付概念図である。
【発明を実施するための形態】
【００１１】
以下実施形態の高周波電力増幅器の出力フィルタ用インダクタを図面を参照して説明する。
【００１２】
図１は、本実施形態のフィルタ部の構造を説明する構造図、図２は、ポストの取付け穴位置を一定のピッチ毎に配置したフィルタ部の外観図である。  
図１において、フィルタ部Ｆは、保持板４の上に所定の断面寸法と長さを有する導体１ｈと導体１ｖとが直列に組合せられ、その組合せ長さによって従来のコイルＷに代わるインダクタンスが調整可能になるインダクタ１がポスト３の上にビス止めされる。
【００１３】
保持板４は、普通は、金属パネルであり、導体１ｈと導体１ｖとは、保持板４と絶縁ポスト３により絶縁されて固定ビス２でビス止めされる。また導体１ｈと導体１ｖとは、ビス止め箇所で接触するので先頭から順に直列接続されて導体路長が長くなりインダクタとして機能する。そして、このインダクタと組み合わせるキャパシタ６を保持板４の上に配置することにより、フィルタ回路が掲載される。なお、ここではキャパシタ６、インダクタ１とも一つずつ用いているが組合せ数はこれに限られることは無い。
【００１４】
ポスト３は、碍子、又は、アクリル樹脂等の高周波絶縁特性の良い絶縁材が用いられる。固定ビス２は、金属製でも良いが、ビス止めした際には保持板と接触しないよう、ポスト３との組合わせ構造が決められたものか、アクリル製のビスが用いられる。
【００１５】
ポスト３インダクタンスは、導体形状や、配置から計算可能であるので、予め２種類の導体１ｈと導体１ｖとの長さや寸法を設定しておき、その組合せ数から所望のインダクタンスが設定、調整可能である。
【００１６】
例えば、方形の断面を有するバーの導体のインダクタンスは、以下の算出近似式で示される。
【００１７】
http://www.copperinfo.co.uk/busbars/pub22-copper-for-busbars/sec91.htm#Rectangular strip
ここでは、辺の長さがａ，ｂである単一導線の単位長あたりの自己インダクタンスは、
Ｌｓ＝０．００２λ（ｎｌｏｇ（２λ／Ｄｓ）−１＋Ｄｓ／λ）  μＨ
である。ここでＤｓ＝０．２２３５（ａ＋ｂ）である。
【００１８】
従って、金属導体それぞれの長さを予め算出しておくことにより、組み立て後更にインダクタンスを調整する際に、追加、又は除去する目安として利用できる。
【００１９】
単純計算では、導体１ｈと導体１ｖとの直列接続の総延長長さからインダクタンスが求められるが、図１の場合は、導体を折り返して配置することにより線路長を長くしている。そのため、往復部分に逆方向に電流が流れ往復線路間に発生する相互インダクタンスにより、線路長から単純に算出するよりもインダクタンスは小さくなる。
【００２０】
図２は、保持板４にポスト３を取付ける穴位置を水平・垂直方向とも一定のピッチ（間隔ｄ）でマトリクス状に設けたフィルタ部の外観図である。この取付け方法により、図１に示されるような決まった往復配置以外にも導体を並べることが可能になる。
【００２１】
図３は、導体の取付け穴がピッチｄの倍数である異なった長さの導体を複数種類準備することにより、保持板４上に導体を渦巻状に配置した状態のインダクタを示している。この配置では、隣接する導体間で同じ方向に電流が流れるので、相互インダクタンスにより単純に線路長を伸ばした場合よりもインダクタンスを増やすことが可能になる。
【００２２】
これらの導体配置、構造によって生じるインダクタンスは予め計算でシミュレーション可能である。また、導体の取付けピッチｄ単位でのインダクタンスが既知の導体を準備しておき、シミュレーションに基づいて所望のインダクタンスが得られる個数に組合せることが出来る。
【００２３】
中波用のフィルタとしては、従来、１０−１００μＨのコイルＷは、空芯コイルで、直径、円筒の軸長が１０数ｃｍかそれ以上になる。
【００２４】
これに対し本実施形態では、図１、図３に相当する導体配置を行なうことにより、Ａ３サイズ程度の保持板４上に１０μＨ程度のインダクタを構築することが可能である。
【００２５】
図４は、本実施形態に係わるフィルタ部のラックへの装着を説明する装着図である。
【００２６】
図４に示す如く保持板４を、送信機ラック８前面から調整員がフロントアクセスするように取付けることが出来るので調整も容易でかつ、送信機ラック８内での占有部分も小さく押さえることが可能になる。
【００２７】
図５は、導体の長手方向の左右中央に取付用の固定ビス２が貫通するスリットを設けた導体の構造図である。
【００２８】
この導体は、ポスト３へのビス止め位置を導体の両端ではなく、導体の中間でポスト３へ止めるとともに、そのビス止め位置を線路長の調整位置として調整可能にすることにより細かなインダクタンスの調整が可能になる。
【００２９】
以上述べた少なくともひとつの実施形態のインダクタによれば、予め定められた長さの複数の導体を平面の保持板の上に直列に接続配置して導体の合計長を調整することによりインダクタンスの調整が可能となる。
【００３０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３１】
１  インダクタ
１ｈ、１ｖ  導体
２  固定ビス
３  ポスト
４  保持板
５  留め穴
６  キャパシタ
８  送信機ラック
Ｅ  エキサイタ
Ｆ  フィルタ部
Ｍ  変調処理部
Ｐ  電力増幅部
Ｓ  合成部
Ｗ  コイル
【図１】
2014233051.tif 000003
【図２】
2014233051.tif 000004
【図３】
2014233051.tif 000005
【図４】
2014233051.tif 000006
【図５】
2014233051.tif 000007
【図６】
2014233051.tif 000008
【図７】
2014233051.tif 000009